(57)【要約】【課題】本発明に係る移動通信端末等は、データローミング通信が許可されていない場合であっても、特定の通信サービスをユーザに提供することを可能とする。【解決手段】本発明に係る移動通信端末は、移動通信端末が第１通信事業者によって運用される第１基地局の通信圏域内である場合、第１通信事業者によって設定された第１ＡＰＮを示す情報を含む第１通信要求を第１基地局に送信することで、通信ネットワークとのデータ通信を行うように通信部を制御し、移動通信端末が第１基地局の通信圏域外であり且つ第２通信事業者によって運用される第２基地局の通信圏域内である場合、実行中のアプリケーションプログラムに、第１通信事業者によって設定された第２ＡＰＮを示す情報が関連付けられていれば、第２ＡＰＮを示す情報を含む第２通信要求を第２基地局に送信することで、通信ネットワークとのデータローミング通信を行うように通信部を制御する。【選択図】図１
2020202507.tif 000002
【特許請求の範囲】
【請求項１】
アプリケーションプログラムを実行可能な移動通信端末であって、
第１通信事業者によって設定された第１ＡＰＮ及び第２ＡＰＮを識別するための情報を記憶する記憶部と、
前記第１通信事業者が管理する通信ネットワークとの通信を行う通信部と、
前記通信部を制御する通信制御部と、を備え、
前記通信制御部は、
複数の前記アプリケーションプログラムのうちの少なくとも一のアプリケーションプログラムに関連付けられた前記第２ＡＰＮを示す情報を前記記憶部に記憶し、
実行中の前記アプリケーションプログラムによるデータ通信指示を取得した時に、
前記移動通信端末が前記第１通信事業者によって運用される第１基地局の通信圏域内である場合、前記第１ＡＰＮを示す情報を含む第１通信要求を前記第１基地局に送信することで、前記通信ネットワークとのデータ通信を行うように前記通信部を制御し、
前記移動通信端末が前記第１基地局の通信圏域外であり且つ第２通信事業者によって運用される第２基地局の通信圏域内である場合、
前記実行中のアプリケーションプログラムに前記第２ＡＰＮを示す情報が関連付けられていれば、前記第２ＡＰＮを示す情報を含む第２通信要求を前記第２基地局に送信することで、前記通信ネットワークとのデータローミング通信を行うように前記通信部を制御し、
前記実行中のアプリケーションプログラムに前記第２ＡＰＮを示す情報が関連付けられていなければ、前記第２通信要求を前記第２基地局に送信しないように前記通信部を制御する
ことを特徴とする移動通信端末。
【請求項２】
前記実行中のアプリケーションプログラムは、ユーザによって入力された言語情報を、他言語情報に翻訳するアプリケーションプログラムである、請求項１に記載の移動通信端末。
【請求項３】
前記実行中のアプリケーションプログラムは、電子地図情報を表示してナビゲーションを行うアプリケーションプログラムである、請求項１又は２に記載の移動通信端末。
【請求項４】
前記データローミング通信は、国際データローミング通信である、請求項１〜３のいずれか一項に記載の移動通信端末。
【請求項５】
第１通信事業者によって設定された第１ＡＰＮ及び第２ＡＰＮを識別するための情報を記憶する記憶部と、第１通信事業者が管理する通信ネットワークとの通信を行う通信部とを備え、アプリケーションプログラムを実行可能な移動通信端末の制御方法であって、
複数の前記アプリケーションプログラムのうちの少なくとも一のアプリケーションプログラムに関連付けられた前記第２ＡＰＮを示す情報を前記記憶部に記憶し、
実行中の前記アプリケーションプログラムによるデータ通信指示を取得した時に、
前記移動通信端末が前記第１通信事業者によって運用される第１基地局の通信圏域内である場合、前記第１ＡＰＮを示す情報を含む第１通信要求を前記第１基地局に送信することで、前記通信ネットワークとのデータ通信を行うように前記通信部を制御し、
前記移動通信端末が前記第１基地局の通信圏域外であり且つ第２通信事業者によって運用される第２基地局の通信圏域内である場合、
前記実行中のアプリケーションプログラムに前記第２ＡＰＮを示す情報が関連付けられていれば、前記第２ＡＰＮを示す情報を含む第２通信要求を前記第２基地局に送信することで、前記通信ネットワークとのデータローミング通信を行うように前記通信部を制御し、
前記実行中のアプリケーションプログラムに前記第２ＡＰＮを示す情報が関連付けられていなければ、前記第２通信要求を前記第２基地局に送信しないように前記通信部を制御する
ことを含むことを特徴とする制御方法。
【請求項６】
第１通信事業者によって設定された第１ＡＰＮ及び第２ＡＰＮを識別するための情報を記憶する記憶部と、第１通信事業者が管理する通信ネットワークとの通信を行う通信部とを備え、アプリケーションプログラムを実行可能な移動通信端末の制御プログラムであって、
複数の前記アプリケーションプログラムのうちの少なくとも一のアプリケーションプログラムに関連付けられた前記第２ＡＰＮを示す情報を前記記憶部に記憶し、
実行中の前記アプリケーションプログラムによるデータ通信指示を取得した時に、
前記移動通信端末が前記第１通信事業者によって運用される第１基地局の通信圏域内である場合、前記第１ＡＰＮを示す情報を含む第１通信要求を前記第１基地局に送信することで、前記通信ネットワークとのデータ通信を行うように前記通信部を制御し、
前記移動通信端末が前記第１基地局の通信圏域外であり且つ第２通信事業者によって運用される第２基地局の通信圏域内である場合、
前記実行中のアプリケーションプログラムに前記第２ＡＰＮを示す情報が関連付けられていれば、前記第２ＡＰＮを示す情報を含む第２通信要求を前記第２基地局に送信することで、前記通信ネットワークとのデータローミング通信を行うように前記通信部を制御し、
前記実行中のアプリケーションプログラムに前記第２ＡＰＮを示す情報が関連付けられていなければ、前記第２通信要求を前記第２基地局に送信しないように前記通信部を制御する
ことを前記移動通信端末に実行させるための制御プログラム。
【請求項７】
第１通信事業者によって管理され、データローミング通信が可能な移動通信端末とのデータ通信の課金を管理する課金システムであって、
第２通信事業者によって運用される第２基地局を経由して、前記データローミング通信の許可が設定された第１移動通信端末から受信した第１通信要求に含まれる第１ＡＰＮに対応する第１ゲートウェイと、
前記第２基地局を経由して、前記データローミング通信の不許可が設定された第２移動通信端末から受信した第２通信要求に含まれる第２ＡＰＮに対応する第２ゲートウェイと、
前記第１ゲートウェイによって前記移動通信端末がデータ通信した場合の課金情報と、前記第２ゲートウェイによって前記移動通信端末がデータ通信した場合の課金情報とを管理する課金管理装置と、を備え、
前記第２通信要求は、前記第２移動通信端末によって実行中のアプリケーションプログラムが第２ＡＰＮと関連付けられている場合に、前記第２移動通信端末から送信された通信要求である
ことを特徴とする課金システム。
【請求項８】
第２通信事業者によって運用される第２基地局を経由して、データローミング通信の許可が設定された第１移動通信端末から受信した第１通信要求に含まれる第１ＡＰＮに対応する第１ゲートウェイと、前記第２基地局を経由して、前記データローミング通信の不許可が設定された第２移動通信端末から受信した第２通信要求に含まれる第２ＡＰＮに対応する第２ゲートウェイと、を管理する第１通信事業者に係るデータ通信の課金を管理する課金管理装置であって、
前記第１ゲートウェイによって前記第１移動通信端末がデータ通信した場合の課金情報と、前記第２ゲートウェイによって前記第２移動通信端末がデータ通信した場合の課金情報とを管理する管理制御部を備え、
前記第２通信要求は、前記第２移動通信端末によって実行中のアプリケーションプログラムが第２ＡＰＮと関連付けられている場合に、前記第２移動通信端末から送信された通信要求である
ことを特徴とする課金管理装置。
【発明の詳細な説明】
【技術分野】
【０００１】
本発明は、移動通信端末、制御方法、制御プログラム、及び課金システムに関する。
【背景技術】
【０００２】
従来から、ユーザが加入契約している通信事業者（「契約通信事業者」と称する場合がある。）と提携している他の通信事業者（「他通信事業者」と称する場合がある。）の設備を利用する所謂データローミング通信が可能な移動通信端末が知られている。例えば、特許文献１には、ユーザによって設定されたデータローミング通信の許可設定に応じて、海外渡航時に国際データローミング通信を行うことができる移動通信端末が開示されている。
【先行技術文献】
【特許文献】
【０００３】
【特許文献１】国際公開第２００５／０２９８８６号
【発明の概要】
【発明が解決しようとする課題】
【０００４】
しかしながら、ユーザは、国際データローミング通信等のデータローミング通信を行う移動通信端末を利用した場合、通常の通信利用料金よりも高額な通信利用料金を契約通信事業者から請求されることがあった。このため、ユーザは、契約通信事業者の通信サービスの提供領域外において各種アプリケーションプログラムによるデータローミング通信が行われないようにするため、移動通信端末に対してデータローミング通信を許可しない設定を行う必要があった。
【０００５】
このような場合、契約通信事業者は、通信サービスの提供領域外にいるユーザ（例えば、海外渡航時のユーザ）に対して有用なアプリケーションプログラム（例えば、言語翻訳アプリケーションプログラム）によるサービスを提供できないという問題が生じていた。
【０００６】
本発明は、このような従来の課題を解決すべくなされたものであり、データローミング通信が許可されていない場合であっても、特定の通信サービスをユーザに対して自動的に提供可能とする移動通信端末、制御方法、制御プログラム、及び課金システムを提供することを目的とする。
【課題を解決するための手段】
【０００７】
本発明に係る移動通信端末は、アプリケーションプログラムを実行可能な移動通信端末であって、第１通信事業者によって設定された第１ＡＰＮ及び第２ＡＰＮを識別するための情報を記憶する記憶部と、第１通信事業者が管理する通信ネットワークとの通信を行う通信部と、通信部を制御する通信制御部と、を備え、通信制御部は、複数のアプリケーションプログラムのうちの少なくとも一のアプリケーションプログラムに関連付けられた第２ＡＰＮを示す情報を記憶部に記憶し、実行中のアプリケーションプログラムによるデータ通信指示を取得した時に、移動通信端末が第１通信事業者によって運用される第１基地局の通信圏域内である場合、第１ＡＰＮを示す情報を含む第１通信要求を第１基地局に送信することで、通信ネットワークとのデータ通信を行うように通信部を制御し、移動通信端末が第１基地局の通信圏域外であり且つ第２通信事業者によって運用される第２基地局の通信圏域内である場合、実行中のアプリケーションプログラムに第２ＡＰＮを示す情報が関連付けられていれば、第２ＡＰＮを示す情報を含む第２通信要求を第２基地局に送信することで、通信ネットワークとのデータローミング通信を行うように通信部を制御し、実行中のアプリケーションプログラムに第２ＡＰＮを示す情報が関連付けられていなければ、第２通信要求を第２基地局に送信しないように通信部を制御する。
【０００８】
また、本発明に係る移動通信端末において、実行中のアプリケーションプログラムは、ユーザによって入力された言語情報を、他言語情報に翻訳するアプリケーションプログラムであることが好ましい。
【０００９】
また、本発明に係る移動通信端末において、実行中のアプリケーションプログラムは、電子地図情報を表示してナビゲーションを行うアプリケーションプログラムであることが好ましい。
【００１０】
また、本発明に係る移動通信端末において、データローミング通信は、国際データローミング通信であることが好ましい。
【００１１】
本発明に係る制御方法は、第１通信事業者によって設定された第１ＡＰＮ及び第２ＡＰＮを識別するための情報を記憶する記憶部と、第１通信事業者が管理する通信ネットワークとの通信を行う通信部とを備え、アプリケーションプログラムを実行可能な移動通信端末の制御方法であって、複数のアプリケーションプログラムのうちの少なくとも一のアプリケーションプログラムに関連付けられた第２ＡＰＮを示す情報を記憶部に記憶し、実行中のアプリケーションプログラムによるデータ通信指示を取得した時に、移動通信端末が第１通信事業者によって運用される第１基地局の通信圏域内である場合、第１ＡＰＮを示す情報を含む第１通信要求を第１基地局に送信することで、通信ネットワークとのデータ通信を行うように通信部を制御し、移動通信端末が第１基地局の通信圏域外であり且つ第２通信事業者によって運用される第２基地局の通信圏域内である場合、実行中のアプリケーションプログラムに第２ＡＰＮを示す情報が関連付けられていれば、第２ＡＰＮを示す情報を含む第２通信要求を第２基地局に送信することで、通信ネットワークとのデータローミング通信を行うように通信部を制御し、実行中のアプリケーションプログラムに第２ＡＰＮを示す情報が関連付けられていなければ、第２通信要求を第２基地局に送信しないように通信部を制御することを含む。
【００１２】
本発明に係る制御プログラムは、第１通信事業者によって設定された第１ＡＰＮ及び第２ＡＰＮを識別するための情報を記憶する記憶部と、第１通信事業者が管理する通信ネットワークとの通信を行う通信部とを備え、アプリケーションプログラムを実行可能な移動通信端末の制御プログラムであって、複数のアプリケーションプログラムのうちの少なくとも一のアプリケーションプログラムに関連付けられた第２ＡＰＮを示す情報を記憶部に記憶し、実行中のアプリケーションプログラムによるデータ通信指示を取得した時に、移動通信端末が第１通信事業者によって運用される第１基地局の通信圏域内である場合、第１ＡＰＮを示す情報を含む第１通信要求を第１基地局に送信することで、通信ネットワークとのデータ通信を行うように通信部を制御し、移動通信端末が第１基地局の通信圏域外であり且つ第２通信事業者によって運用される第２基地局の通信圏域内である場合、実行中のアプリケーションプログラムに第２ＡＰＮを示す情報が関連付けられていれば、第２ＡＰＮを示す情報を含む第２通信要求を第２基地局に送信することで、通信ネットワークとのデータローミング通信を行うように通信部を制御し、実行中のアプリケーションプログラムに第２ＡＰＮを示す情報が関連付けられていなければ、第２通信要求を第２基地局に送信しないように通信部を制御することを移動通信端末に実行させる。
【００１３】
本発明に係る課金システムは、第１通信事業者によって管理され、データローミング通信が可能な移動通信端末とのデータ通信の課金を管理する課金システムであって、第２通信事業者によって運用される第２基地局を経由して、データローミング通信の許可が設定された第１移動通信端末から受信した第１通信要求に含まれる第１ＡＰＮに対応する第１ゲートウェイと、第２基地局を経由して、データローミング通信の不許可が設定された第２移動通信端末から受信した第２通信要求に含まれる第２ＡＰＮに対応する第２ゲートウェイと、第１ゲートウェイによって移動通信端末がデータ通信した場合の課金情報と、第２ゲートウェイによって移動通信端末がデータ通信した場合の課金情報とを管理する課金管理装置と、を備え、第２通信要求は、第２移動通信端末によって実行中のアプリケーションプログラムが第２ＡＰＮと関連付けられている場合に、第２移動通信端末から送信された通信要求である。
【００１４】
本発明に係る課金管理装置は、第２通信事業者によって運用される第２基地局を経由して、データローミング通信の許可が設定された第１移動通信端末から受信した第１通信要求に含まれる第１ＡＰＮに対応する第１ゲートウェイと、第２基地局を経由して、データローミング通信の不許可が設定された第２移動通信端末から受信した第２通信要求に含まれる第２ＡＰＮに対応する第２ゲートウェイと、を管理する第１通信事業者に係るデータ通信の課金を管理する課金管理装置であって、第１ゲートウェイによって第１移動通信端末がデータ通信した場合の課金情報と、第２ゲートウェイによって第２移動通信端末がデータ通信した場合の課金情報とを管理する管理制御部を備え、第２通信要求は、第２移動通信端末によって実行中のアプリケーションプログラムが第２ＡＰＮと関連付けられている場合に、第２移動通信端末から送信された通信要求である。
【発明の効果】
【００１５】
本発明に係る移動通信端末、制御方法、制御プログラム、及び課金システムは、データローミング通信が許可されていない場合であっても、特定の通信サービスを自動的にユーザに提供することを可能とする。
【図面の簡単な説明】
【００１６】
【図１】通信システムの概要を説明するための模式図である。
【図２】通信システムの概略構成の一例を示す図である。
【図３】移動通信端末の概略構成の一例を示す図である。
【図４】移動通信端末の表示部に表示される各種画面の一例を示す図である。
【図５】移動通信端末の表示部に表示される各種画面の一例を示す図である。
【図６】端末記憶部に記憶された各種データを説明するための模式図である。
【図７】各種テーブルのデータ構造の一例を示す図である。
【図８】アプリケーション処理の動作フローの一例を示す図である。
【図９】通信要求送信処理の動作フローの一例を示す図である。
【発明を実施するための形態】
【００１７】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１８】
（通信システムの概要）
図１は、本実施形態における通信システムの概要を説明するための模式図である。本実施形態の通信システムは、データローミング通信が可能な移動通信端末と、移動通信端末に対して各種通信サービスの提供が可能なサービス提供サーバと、を少なくとも有する。
【００１９】
移動通信端末は、複数のアプリケーションプログラムがインストールされた（使用可能に記憶された）多機能携帯電話（所謂「スマートフォン」）等であり、インストールされたアプリケーションプログラムを実行することが可能である。アプリケーションプログラムは、移動通信端末に特定の情報処理を実行させるための命令列である。以降、移動通信端末にインストールされたアプリケーションプログラムを、単に「アプリケーション」と称する場合がある。
【００２０】
アプリケーションは、例えば、ウェブブラウザアプリケーション、電子メール送受信アプリケーション、言語翻訳アプリケーション、ナビゲーションアプリケーション、撮影制御アプリケーション、動画表示アプリケーション等である。移動通信端末にインストールされているアプリケーションの数は１つでもよい。
【００２１】
移動通信端末は、当該移動通信端末のユーザが加入契約している契約通信事業者の通信ネットワークに接続し、契約通信事業者等のサービス提供サーバによる各種通信サービスを受けることができる。また、移動通信端末は、契約通信事業者の通信サービスの提供領域外に位置する場合において、契約通信事業者と提携契約している他通信事業者の通信ネットワークに接続できるならば、他通信事業者の通信ネットワークを介して契約通信事業者の通信ネットワークに接続するデータローミング通信を行うことができる。契約通信事業者は第１通信事業者の一例であり、他通信事業者は第２通信事業者の一例である。データローミング通信は、例えば、国際データローミング通信であり、この場合、契約通信事業者は日本国内の移動通信事業者であり、他通信事業者は日本国外の移動通信事業者である。
【００２２】
ユーザは、移動通信端末によって表示された所定の設定画面を操作することで、データローミング通信の許可及び不許可のいずれか一方を、移動通信端末に対して設定することができる。移動通信端末は、ユーザによって設定された、データローミング通信の許可に関する情報を記憶する。データローミング通信の許可に関する情報は、移動通信端末がデータローミング通信を許可することを示す情報、及び／又は、移動通信端末がデータローミング通信を許可しないことを示す情報である。
【００２３】
移動通信端末は、複数種類のＡＰＮ（Access Point Name）を記憶する。ＡＰＮは、契約通信事業者が管理するゲートウェイを識別するための接続先情報であり、契約通信事業者によって移動通信端末に設定される。複数の種類のＡＰＮには、契約通信事業者の通信サービスの提供領域内に位置する場合に通常使用されるＡＰＮ（「通常ＡＰＮ」と称する場合がある。）と、契約通信事業者の通信サービスの提供領域外に位置する場合に使用可能なＡＰＮ（「特定ＡＰＮ」と称する場合がある。）が含まれる。移動通信端末は、特定ＡＰＮに関連付けられたアプリケーションを識別するための情報を記憶する。
【００２４】
以下、データローミング通信を許可しないように設定された移動通信端末が、実行中のアプリケーションによるデータ通信指示を取得した場合に実行するアプリケーション処理の一例を説明する。実行中のアプリケーションによるデータ通信指示は、実行中のアプリケーションの画面表示の命令によって表示部に表示された表示画面をユーザが操作することに応じて移動通信端末の制御部が生成した、データ通信を実行する指示である。実行中のアプリケーションによるデータ通信指示は、実行中のアプリケーションの所定の命令によって移動通信端末の制御部が自動的に生成した、データ通信を実行する指示でもよい。
【００２５】
移動通信端末は、実行中のアプリケーションによるデータ通信指示を取得した場合、契約通信事業者の通信サービスの提供領域内に位置するか否か、すなわち、契約通信事業者が管理する基地局（「契約基地局」と称する場合がある。）の通信圏域内か否か、を判定する（図１の（１））。
【００２６】
次に、移動通信端末は、自身が契約基地局の通信圏域内に位置すると判定した場合、通常ＡＰＮを含む通常通信要求を契約基地局に送信することで通信を行う（図１の（２））。
【００２７】
移動通信端末は、自身が契約基地局の通信圏域内に位置すると判定した場合、契約通信事業者と提携契約している他通信事業者によって管理される基地局（「他基地局」と称する場合がある。）の通信圏域内に位置するか否かを判定する。
【００２８】
移動通信端末は、自身が他基地局の通信圏域内に位置すると判定した場合、実行中のアプリケーションに特定ＡＰＮが関連付けられていれば、特定ＡＰＮを含む特定通信要求を他基地局に送信することで、データローミング通信を行う（図１の（３−１））。このデータローミング通信によって、移動通信端末は、他通信事業事業者の通信ネットワークに接続し、当該通信ネットワークを介して特定ＡＰＮに対応する契約通信事業者のゲートウェイに接続して、データ通信を行う。
【００２９】
移動通信端末は、実行中のアプリケーションに特定ＡＰＮが関連付けられていなければ、通常通信要求及び特定通信要求を送信せず、データローミング通信を行わない（図１の（３−２））。
【００３０】
上述のとおり、移動通信端末は、データローミング通信が許可されていない設定であっても、特定のアプリケーションに限り、データローミング通信を自動的に実施することができる。このように、データローミング通信が許可されていない場合であっても、特定の通信サービスをユーザに提供することを可能とする移動通信端末を提供することが可能となる。
【００３１】
なお、上述した図１の説明は、本発明の内容への理解を深めるための説明にすぎない。本発明は、具体的には、次に説明する各実施形態において実施され、且つ、本発明の原則を実質的に超えずに、さまざまな変形例によって実施されてもよい。このような変形例はすべて、本発明及び本明細書の開示範囲に含まれる。
【００３２】
（通信システム１の概略構成）
図２は、通信システム１の概略構成の一例を示す図である。図２に示す通信システム１は、ＬＴＥ（Long Term Evolution）方式による通信システムであり、移動通信端末２と、他基地局３と、ＭＭＥ（Mobility Management Entity）４と、ＳＧＷ（Serving Gateway）５と、ＰＣＲＦ（Policy and Charging Rules Function）６と、ＨＳＳ（Home Subscriber Server）７と、複数のＰＧＷ（Packet Data Network Gateway）８（８ａ，８ｂ）と、課金管理装置９と、ＰＣＲＦ（Policy and Charging Rules Function）１０と、ネットワーク１１と、サービス提供サーバ１２と、を有する。
【００３３】
他基地局３、ＭＭＥ４、ＳＧＷ５及びＰＣＲＦ６は、他通信事業者の通信ネットワークを構成するノードの一部であり、ＨＳＳ７、複数のＰＧＷ８、課金管理装置９及びＰＣＲＦ１０は、契約通信事者の通信ネットワークを構成するノードの一部である。
【００３４】
契約通信事者の通信ネットワーク及び他通信事業者の通信ネットワークは、ＩＰＸ（IP eXchange）事業者によって管理及び提供されるＩＰ中継網であるＩＰＸによって接続される。複数のＰＧＷ８は、インターネット等のネットワーク１１を介して、サービス提供サーバ１２と接続される。
【００３５】
他基地局３は、他通信事業者によって管理されるｅＮｏｄｅＢである。各他基地局３は、自身から送信された電波が届く範囲（セル）内の移動通信端末２と通信を行う。移動通信端末２は、他基地局３のセルの境界（セルエッジ）よりも外側に位置する場合、他通信事業者の通信ネットワークに接続することができない所謂「圏外」の状態となる。
【００３６】
ＭＭＥ４は、シーケンス制御機能、移動通信端末２が待ち受け状態である場合の位置管理機能、他の移動通信端末２又は電話機（図示せず）等から着信があった場合の他基地局３に対するページング機能、移動通信端末２の認証管理機能等を有する。シーケンス制御機能では、例えば、他基地局３又はＳＧＷ５等に対するユーザデータの通信経路設定が行われる。
【００３７】
ＳＧＷ５は、他基地局３を収容するパケットゲートウェイである。ＳＧＷ５は、ユーザデータを伝送する機能等を有する。ＳＧＷ５は、他の通信規格（３Ｇ等）の無線ネットワークとのユーザデータ転送経路を切り替える接続ノードとなる。
【００３８】
ＰＣＲＦ６は、ＱｏＳ（Quality of Service）等のポリシー制御及び課金制御ルールを決定し、ＳＧＷ５にポリシー制御及び課金制御の指示を行う。ポリシー制御では、例えば、優先度が高いパケット（音声パケット等）を、インターネットのブラウジングよりも優先する制御等が行われる。
【００３９】
ＨＳＳ７は、契約通信事業者の通信ネットワークの加入者情報を管理する。ＨＳＳ７には、移動通信端末２を所有するユーザのプロファイル情報、識別子、及びサービスプロファイル等が記憶されている。
【００４０】
ＰＧＷ８は、ネットワーク１１又はＩＭＳ（IP Multimedia Subsystem）等と接続するパケットゲートウェイである。ＰＧＷ８は、ＩＭＳ等のパケットネットワーク（Packet Data Network，PDN）との接続点となり、移動通信端末２へのＩＰアドレスの割り当て機能、移動通信端末２がＬＴＥの無線アクセスとＣＤＭＡ２０００等の非３ＧＰＰ（Third Generation Partnership Project）との間を移動する場合のユーザデータ転送機能等を有する。図２に示す通信システム１が有するＰＧＷ８は、２つのＰＧＷ８ａ及びＰＧＷ８ｂに限らない。例えば、通信システム１は３つ以上のＰＧＷ８を有してもよい。
【００４１】
課金管理装置９は、ＯＣＳ（Online Charging System）及びＯＦＣＳ（Offline Charging System）等を含み、移動通信端末２の通信量をリアルタイムで捕捉し、ユーザの移動通信端末２が通信ネットワークを利用した後、各ユーザの一か月ごとに通信量を集積する管理制御部を有する。
【００４２】
ＰＣＲＦ１０は、ＰＣＲＦ６と同様にポリシー制御及び課金制御ルールを決定し、各ＰＧＷ８にポリシー制御及び課金制御の指示を行う。例えば、ＰＣＲＦ１０は、ユーザの移動通信端末２における所定期間（１ヶ月間）の通信容量が所定通信容量（例えば１ＧＢ）を超えた場合、当該移動通信端末２の通信速度を低速化するようＰＧＷ８に指示するポリシー制御等を行う。
【００４３】
サービス提供サーバ１２は、契約通信事業者又はサービス提供事業者等によって管理及び／又は運用されるサーバ装置である。サービス提供サーバ１２は、複数のサーバ装置によって構成されてもよく、この場合、複数のサーバ装置のそれぞれの運用主体は異なる事業者でもよい。サービス提供サーバ１２は、移動通信端末２から送信された、当該移動通信端末２において実行中のアプリケーションによる各種情報を受信し、受信した情報に応じた情報処理を実行することで、移動通信端末２に特定の通信サービスを提供する。
【００４４】
図２に示す通信システム１を参照し、データローミング通信の一例を説明する。
【００４５】
移動通信端末２は、他基地局３から周期的に送信されたＰＬＭＮ（Public Land Mobile Network）を含む報知信号を受信する。ＰＬＭＮは、基地局を運用する通信事業者を識別するための識別情報である。移動通信端末２は、移動通信端末２に格納されたＳＩＭカード（Subscriber Identity Module Card）に記憶されたＯＰＬＭＮ（Operator controlled PLMN）を参照し、他基地局３の他通信事業者が、契約通信事業者と提携契約している通信事業者（移動通信端末２がデータローミングサービスを受けることができる通信事業者）であるか否かを判定する。移動通信端末２は、他基地局３の他通信事業者が、契約通信事業者と提携契約している通信事業者であると判定した場合、ＲＲＣ（Radio Resource Control）接続要求を他基地局３に送信し、ＲＲＣを確立する。
【００４６】
次に、移動通信端末２は、契約通信事業者の通信ネットワークへの接続要求を他基地局３に送信する。ＭＭＥ４は、他基地局３から接続要求を取得すると、ＨＳＳ７に、ＩＰＸを介して、移動通信端末２のユーザの加入者情報を要求し、ＨＳＳ７から加入者情報を取得する。ＭＭＥ４は、他基地局３を介して、移動通信端末２にＡＰＮを示す情報を要求すると、移動通信端末２は、ＡＰＮを示す情報を含む通信要求を送信する。
【００４７】
ＭＭＥ４は、移動通信端末２から通信要求を受信すると、ＤＮＳ（図示しない）を参照して通信要求に含まれるＡＰＮに対応するＰＧＷ８を特定する。ＭＭＥ４は、ＰＧＷ８のＩＰアドレスを移動通信端末２に送信するとともに、ＳＧＷ５にユーザデータ転送経路を確立させる指示を行う。
【００４８】
移動通信端末２からの通信要求が特定通信要求である場合、特定ＡＰＮに対応するＰＧＷ８ａが特定される。また、他の移動通信端末２からの通信要求が、特定通信要求とは異なる通信要求（特定ＡＰＮとは異なる他ＡＰＮを含む）である場合、他ＡＰＮに対応するＰＧＷ８ｂが特定される。
【００４９】
これにより、移動通信端末２は、ＰＧＷ８（ＰＧＷ８ａ又はＰＧＷ８ｂ）と接続されることにより、ＰＧＷ８（ＰＧＷ８ａ又はＰＧＷ８ｂ）及びネットワーク１１を介してサービス提供サーバ１２との情報の交換を行うことが可能となる。例えば、移動通信端末２が国外に位置する場合であっても、特定通信要求が可能であれば、移動通信端末２は、サービス提供サーバ１２からの通信サービスの提供を受けることができる。
【００５０】
例えば、言語翻訳アプリケーションを実行している移動通信端末２が、特定の言語の言語情報を、ＰＧＷ８及びネットワーク１１を介してサービス提供サーバ１２に送信可能であれば、サービス提供サーバ１２は、移動通信端末２から送信された特定の言語の言語情報を、他の言語の他言語情報に翻訳し、翻訳後の他言語情報を移動通信端末２に送信し、移動通信端末２は、受信した他言語情報を表示することができる。
【００５１】
また、ナビゲーションアプリケーションを実行している移動通信端末２が、現在位置情報を、ＰＧＷ８及びネットワーク１１を介してサービス提供サーバ１２に送信可能であれば、サービス提供サーバ１２は、移動通信端末２から送信された移動通信端末２の現在位置情報に基づいて、移動通信端末２周辺の電子地図情報を抽出して、抽出した電子地図情報を移動通信端末２に送信し、移動通信端末２は、受信した電子地図情報を表示することができる。このように、言語翻訳アプリケーション及びビゲーションアプリケーションのような、契約通信事業者の通信サービスの提供範囲外であっても有用なアプリケーションを、データローミング通信が許可されていない場合であっても、自動的にユーザに提供することが可能となる。
【００５２】
課金管理装置９の管理制御部は、移動通信端末２がＰＧＷ８ａを経由してサービス提供サーバ１２とデータ通信を行った場合、ＰＣＲＦ６及びＰＣＲＦ１０を参照して、移動通信端末２のユーザの課金情報（「特定ローミング課金情報」と称する場合がある。）を管理する。同様に、課金管理装置９の管理制御部は、他の移動通信端末２がＰＧＷ８ｂを経由してサービス提供サーバ１２とデータ通信を行った場合、ＰＣＲＦ６及びＰＣＲＦ１０を参照して、他の移動通信端末２のユーザの課金情報（通常ローミング課金情報」と称する場合がある。）を管理する。ＰＧＷ８（ＰＧＷ８ａ又はＰＧＷ８ｂ）及び課金管理装置９は、課金システムの一例である。
【００５３】
特定ローミング課金情報に示される金額と通常ローミング課金情報によって示される金額とを比較すると、同一の通信量であっても、特定ローミング課金情報に示される金額が通常ローミング課金情報によって示される金額よりも低額となるように設定される。これにより、例えば、データローミング通信が国際データローミング通信であり、且つ、海外渡航中に有用なアプリケーション（言語翻訳アプリケーション、ナビゲーションアプリケーション等）が特定ＡＰＮに対応するアプリケーションである場合、ユーザは、高額な通信利用料金を請求される心配をすることなく、これらの有用なアプリケーションを使用することが可能となる。
【００５４】
通信システム１は、ＬＴＥ方式による通信システムに限らず、第５世代（５Ｇ）移動通信システムであってもよい。
【００５５】
（移動通信端末２）
図３は、移動通信端末２の概略構成の一例を示す図である。
【００５６】
移動通信端末２は、移動通信端末２にインストールされたアプリケーションプログラムを実行し、ユーザの指示に応じて、実行されたアプリケーションプログラムに対応する通信サービスを実現する。そのために、移動通信端末２は、端末通信部２１と、端末記憶部２２と、操作部２３と、表示部２４と、端末制御部２５とを備える。
【００５７】
本実施形態では、移動通信端末２として、多機能携帯電話を想定するが、本発明はこれに限定されるものではない。移動通信端末２は、本発明が適用可能であればよく、例えば、携帯電話（所謂「フィーチャーフォン」）、携帯情報端末（Personal Digital Assistant, PDA）、タブレット端末、又はタブレットＰＣ（Personal Computer）等でもよい。
【００５８】
端末通信部２１は、所定の周波数帯を感受帯域とするアンテナを含む、通信インターフェース回路を備え、移動通信端末２を契約通信事業者が管理する通信ネットワークに接続する。端末通信部２１は、基地局（契約基地局、他基地局３）により割り当てられるチャネルを介して、基地局との間でＬＴＥ方式による無線信号回線を確立し、基地局（契約基地局、他基地局３）との間で通信を行う。基地局（契約基地局、他基地局３）との間の無線通信は第５世代（５Ｇ）移動通信システム等による無線通信でもよい。端末通信部２１は、端末制御部２５から供給されたデータを、契約通信事業者が管理する通信ネットワークを経由してサービス提供サーバ１２等の外部装置に送信する。また、端末通信部２１は、外部装置から受信したデータを端末制御部２５に供給する。
【００５９】
端末記憶部２２は、例えば、ＲＯＭ（Read Only Memory）、ＲＡＭ（Random Access Memory）等の半導体メモリ装置を備える。端末記憶部２２は、端末制御部２５での処理に用いられるオペレーティングシステムプログラム、ドライバプログラム、アプリケーションプログラム及びデータ等を記憶する。端末記憶部２２に記憶されるドライバプログラムは、端末通信部２１を制御する無線通信デバイスドライバプログラム、操作部２３を制御する入力デバイスドライバプログラム、及び、表示部２４を制御する出力デバイスドライバプログラム等である。端末記憶部２２に記憶される各種プログラムは、例えば外部装置から、公知のセットアッププログラム等を用いて端末記憶部２２にインストールされてもよい。また、端末記憶部２２は、所定の処理に係るデータを一時的に記憶してもよい。
【００６０】
操作部２３は、例えば、タッチパネル等のポインティングデバイスである。操作部２３は、移動通信端末２の操作が可能であればどのようなデバイスでもよく、例えば、キーパッドでもよい。ユーザは、操作部２３を用いて、文字、数字及び記号、若しくは、表示部２４の表示画面上の位置等を入力することができる。操作部２３は、ユーザにより操作されると、その操作に対応する信号を発生する。そして、発生した信号は、ユーザの指示として、端末制御部２５に供給される。
【００６１】
表示部２４は、液晶ディスプレイである。なお、表示部２４は、有機ＥＬ（Electro-Luminescence）ディスプレイ等でもよい。表示部２４は、端末制御部２５から供給された映像データに応じた映像、動画像データに応じた動画像、静止画像データに応じた静止画像等を表示する。
【００６２】
端末制御部２５は、一又は複数個のプロセッサ及びその周辺回路を備える。端末制御部２５は、移動通信端末２の全体的な動作を統括的に制御するものであり、例えば、ＣＰＵである。端末制御部２５は、移動通信端末２の各種処理が端末記憶部２２に記憶されているプログラムや操作部２３の操作等に基づいて適切な手順で実行されるように、端末通信部２１や表示部２４等の動作を制御する。端末制御部２５は、端末記憶部２２に記憶されているプログラム（オペレーティングシステムプログラムやドライバプログラム、アプリケーションプログラム等）に基づいて処理を実行する。また、端末制御部２５は、複数のプログラム（アプリケーションプログラム等）を並列に実行することができる。
【００６３】
端末制御部２５は、アプリケーションを制御するアプリケーション制御部２５１と、端末通信部２１を制御する通信制御部２５２とを有する。端末制御部２５が有するこれらの各部は、端末制御部２５が備えるプロセッサで実行されるプログラムにより実現される機能モジュールである。あるいは、端末制御部２５が有するこれらの各部は、ファームウェアとして移動通信端末２に実装されてもよい。
【００６４】
以下、図４及び図５を参照して、移動通信端末２の表示部２４に表示される各種画面の一例について説明する。
【００６５】
（ホーム画面４００）
図４（ａ）は、移動通信端末２の表示部２４に表示されるホーム画面４００の一例を示す図である。ホーム画面４００は、移動通信端末２の起動時に表示される画面又はユーザによるホーム画面表示指示に応じて表示される画面である。
【００６６】
ホーム画面４００には、アイコン画像４０１及びアイコン画像４０２が表示される。アイコン画像４０１及びアイコン画像４０２は、それぞれ移動通信端末２が実行可能なアプリケーションに対応するアイコン画像である。ホーム画面４００に表示されるアイコン画像４０１の数は２つ以上でもよい。
【００６７】
図４（ａ）に示すアイコン画像４０１に対応するアプリケーションは、特定ＡＰＮに関連付けられたアプリケーションであり、図４（ａ）に示すアイコン画像４０２に対応するアプリケーションは、特定ＡＰＮに関連付けられていないアプリケーションである。
【００６８】
ユーザによる操作部２３の操作に応じて、表示されたアイコン画像４０１及びアイコン画像４０２のいずれかが指定された場合、アプリケーション制御部２５１は、指定されたアイコン画像に対応するアプリケーションを実行する実行指示を取得する。アプリケーション制御部２５１は、実行指示を取得すると、実行指示に対応するアプリケーションを端末記憶部２２から読み出す。そして、アプリケーション制御部２５１は、読み出したアプリケーションを実行する。
【００６９】
（実行画面４１０）
図４（ｂ）は、アイコン画像４０１に対応するアプリケーションの実行画面４１０の一例を示す図である。図４（ｂ）に示されるアプリケーションは、言語翻訳アプリケーションの実行画面である。アイコン画像４０１に対応するアプリケーションは、言語翻訳アプリケーションに限らず、電子地図情報を表示してナビゲーションを行うナビゲーションアプリケーションでもよい。
【００７０】
図４（ｂ）に示す実行画面４１０には、操作対象オブジェクト４１１、第１文字列表示領域４１２、第２文字列表示領域４１３等が表示される。
【００７１】
操作対象オブジェクト４１１は、ユーザが操作部２３を用いて操作する対象のオブジェクトである。例えば、ユーザが操作対象オブジェクト４１１を指定する操作を行うことで、操作対象オブジェクト４１１に対応する「文字、記号、又は数字」等（以降「文字等」と称する場合がある。）が選択され、アプリケーション制御部２５１は、選択された文字等を取得する。
【００７２】
第１文字列表示領域４１２は、アプリケーション制御部２５１が、ユーザによる操作対象オブジェクト４１１の操作に応じて文字等を取得するたびに、取得順に従って配列された文字等によって構成される第１文字列を表示する表示領域である。第１文字列を示す情報は、特定の言語による言語情報の一例である。
【００７３】
ユーザが操作対象オブジェクト４１１を操作することによって、第１文字列が第１文字列表示領域４１２に表示されると、アプリケーション制御部２５１は、通信制御部２５２にデータ通信指示を出力する。通信制御部２５２は、データ通信指示を取得すると、通信要求を基地局（契約基地局、他基地局３）に送信する。通信要求によって、移動通信端末２が契約通信事業者の通信ネットワークを介してサービス提供サーバ１２と通信可能になった場合、移動通信端末２とサービス提供サーバ１２とによる翻訳処理が実行される。翻訳処理は、例えば、通信制御部２５２が第１文字列を含む翻訳指示情報をサービス提供サーバ１２に送信し、サービス提供サーバ１２が翻訳指示情報に含まれる第１文字列を所定の言語に翻訳して第２文字列を生成し、翻訳した結果（第２文字列）を示す情報を移動通信端末２に送信する処理である。第２文字列を示す情報は、特定の言語とは異なる他言語による他言語情報の一例である。
【００７４】
第２文字列表示領域４１３は、アプリケーション制御部２５１が、受信された第２文字列を表示する表示領域である。図５（ａ）は、アイコン画像４０１に対応するアプリケーションの実行画面４１０の表示中において、第２文字列表示領域４１３に第２文字列が表示された場合の一例を示す図である。
【００７５】
図５（ｂ）は、通信要求によって、移動通信端末２が契約通信事業者の通信ネットワークを介してサービス提供サーバ１２と通信可能にならなかった場合のアプリケーションの実行画面４１０の一例を示す図である。図５（ｂ）に示す実行画面４１０には、移動通信端末２がサービス提供サーバ１２との通信ができなかったことを示す通知情報４１４が表示される。
【００７６】
（端末記憶部２２）
図６は、端末記憶部２２に記憶された各種データを説明するための模式図である。端末記憶部２２は、データとして、アプリケーション２２１（２２１ａ、２２１ｂ）、通信設定テーブル２２２、ＡＰＮ設定テーブル２２３を記憶する。端末記憶部２２が記憶するアプリケーション２２１の種類は、１種類でも又は３種類以上でもよい。
【００７７】
（通信設定テーブル２２２）
図７（ａ）は、通信設定テーブル２２２のデータ構造の一例を示す図である。図７（ａ）に示す通信設定テーブル２２２には、表示部２４に表示された所定の設定画面（図示しない）をユーザが操作することによって入力されたモバイルネットワーク情報が記憶される。モバイルネットワーク情報には、モバイルデータ通信に関する情報、データローミング通信に関する情報、通常ＡＰＮを示す情報、及び特定ＡＰＮを示す情報等が含まれる。
【００７８】
所定の設定画面には、移動通信端末２がモバイルデータ通信を行うことを許可すること、及び、移動通信端末２がモバイルデータ通信を行うことを許可しないこと、のいずれか一方を設定するためのデータ通信設定オブジェクトが表示される。ユーザが操作部２３を用いてデータ通信設定オブジェクトを操作することで、モバイルデータ通信の許可が選択されると、通信設定テーブル２２２の「モバイルデータ通信」に対応付けて「許可」を示す情報が記憶される。ユーザが操作部２３を用いてデータ通信設定オブジェクトを操作することで、モバイルデータ通信の不許可が選択されると、通信設定テーブル２２２の「モバイルデータ通信」に対応付けて「不許可」を示す情報が記憶される。
【００７９】
通信設定テーブル２２２の「モバイルデータ通信」に対応付けて「許可」を示す情報が記憶された場合、移動通信端末２の通信制御部２５２は、データ通信指示の取得に応じてデータ通信を実行する。通信設定テーブル２２２の「モバイルデータ通信」に対応付けて「不許可」を示す情報が記憶された場合、移動通信端末２の通信制御部２５２は、データ通信指示が取得されても、データ通信を実行しない。
【００８０】
所定の設定画面には、移動通信端末２がデータローミング通信を行うことを許可すること、及び、移動通信端末２がデータローミング通信を行うことを許可しないこと、のいずれか一方を設定するためのローミング設定オブジェクトが表示される。ユーザが操作部２３を用いてローミング設定オブジェクトを操作することで、データローミング通信の許可が選択されると、通信設定テーブル２２２の「データローミング通信」に対応付けて「許可」を示す情報が記憶される。ユーザが操作部２３を用いてローミング設定オブジェクトを操作することで、データローミング通信の不許可が選択されると、通信設定テーブル２２２の「データローミング通信」に対応付けて「不許可」を示す情報が記憶される。
【００８１】
通信設定テーブル２２２の「データローミング通信」に対応付けて「許可」を示す情報が記憶された場合、契約基地局の通信圏域外に位置し且つ他基地局の通信圏域内に位置する移動通信端末２の通信制御部２５２は、データ通信指示の取得に応じてデータローミング通信を実行する。通信設定テーブル２２２の「モバイルデータ通信」に対応付けて「不許可」を示す情報が記憶される場合、契約基地局の通信圏域外に位置し且つ他基地局の通信圏域内に位置する移動通信端末２の通信制御部２５２は、データ通信指示が取得されても、原則としてデータローミング通信を実行しない。
【００８２】
通常ＡＰＮには、契約通信事業者の通信サービスの提供領域内に位置する場合に通常使用されるＡＰＮを示す情報が記憶される。特定ＡＰＮには、契約通信事業者の通信サービスの提供領域外に位置する場合に使用可能なＡＰＮを示す情報が記憶される。通常ＡＰＮ及び特定ＡＰＮは、それぞれ契約通信事業者によって設定される。通常ＡＰＮ及び特定ＡＰＮは同一であってもよい。
【００８３】
（ＡＰＮ設定テーブル２２３）
図７（ｂ）は、ＡＰＮ設定テーブル２２３のデータ構造の一例を示す図である。ＡＰＮ設定テーブル２２３は、契約通信事業者によって予め設定されて端末記憶部２２に記憶される。
【００８４】
ＡＰＮ設定テーブル２２３において、アプリケーション識別情報に関連付けてアプリケーション名称及びＡＰＮ情報が記憶される。アプリケーション識別情報は、アプリケーション２２１を一意に識別するための情報である。
【００８５】
ＡＰＮ情報は、特定ＡＰＮを示す情報である。アプリケーション２２１に特定ＡＰＮが設定されていない場合、ＡＰＮ情報として、特定ＡＰＮが関連付けられていないことを示す情報が記憶され、アプリケーション２２１に特定ＡＰＮが設定されている場合、ＡＰＮ情報として、特定ＡＰＮを示す情報が記憶される。
【００８６】
ＡＰＮ設定テーブル２２３の一部又は全部のデータは、アプリケーション２２１が端末記憶部２２に記憶される際に、自動的に記憶されてもよい。例えば、移動通信端末２の通信制御部２５２が、アプリケーション２２１をインストールするための実行ファイルを外部装置から端末通信部２１を介して受信した場合、実行ファイルが起動されることによってアプリケーション２２１を端末記憶部２２に記憶する（インストールする）とともに、実行ファイルに含まれる証明書情報が真正なものであるか否かを公知の認証技術に基づいて判定する。通信制御部２５２は、実行ファイルに含まれる証明書情報が真正なものであると判定すると、ＡＰＮ設定テーブル２２３において、端末記憶部２２に記憶されたアプリケーション２２１を識別するためのアプリケーション識別情報に関連付けて、特定ＡＰＮを示す情報を記憶する。実行ファイルに特定ＡＰＮを示す情報が含まれていてもよく、この場合、通信制御部２５２は、実行ファイルに含まれる特定ＡＰＮを示す情報がアプリケーション識別情報に関連付けて記憶される。
【００８７】
（アプリケーション処理）
図８は、データローミング通信を許可しないように設定された移動通信端末２のアプリケーション制御部２５１と通信制御部２５２とによって実行されるアプリケーション処理の動作フローの一例を示す図である。
【００８８】
まず、アプリケーション制御部２５１は、ユーザによる操作部２３の操作に応じて、表示部２４に表示されたアイコン画像４０１が指定された場合、アイコン画像４０１に対応するアプリケーション２２１を実行する実行指示を取得し（ステップＳ１０１）、実行指示に対応するアプリケーション２２１を端末記憶部２２から読み出し、読み出したアプリケーション２２１を実行する。
【００８９】
次に、通信制御部２５２は、実行中のアプリケーション２２１によるデータ通信指示を取得する（ステップＳ１０２）。例えば、アプリケーション制御部２５１は、実行中のアプリケーション２２１の画面表示の命令によって表示部に表示された表示画面に対するユーザによる所定の操作に応じてデータ通信指示を生成し、又は、実行中のアプリケーション２２１の所定の命令によって自動的にデータ通信指示を生成する。次に、アプリケーション制御部２５１は、生成したデータ通信指示を通信制御部２５２に出力する。そして、通信制御部２５２は、アプリケーション制御部２５１からのデータ通信指示を取得する。
【００９０】
次に、通信制御部２５２は、通信要求送信処理を実行する（ステップＳ１０３）。通信要求送信処理の詳細は後述する。
【００９１】
アプリケーション制御部２５１は、通信要求送信処理（ステップＳ１０３）において通信要求が送信されたか否かを判定する（ステップＳ１０４）。
【００９２】
アプリケーション制御部２５１は、通信要求が送信されなかったと判定した場合（ステップＳ１０４−Ｎｏ）、アプリケーション処理を終了する。
【００９３】
アプリケーション制御部２５１は、通信要求が送信されたと判定した場合（ステップＳ１０４−Ｙｅｓ）、移動通信端末２が契約通信事業者の通信ネットワークを介してサービス提供サーバ１２と通信可能になったか否かを判定する（ステップＳ１０５）。
【００９４】
アプリケーション制御部２５１は、移動通信端末２がサービス提供サーバ１２と通信可能ではないと判定した場合（ステップＳ１０５−Ｎｏ）、アプリケーション処理を終了する。
【００９５】
アプリケーション制御部２５１は、移動通信端末２がサービス提供サーバ１２と通信可能となったと判定した場合（ステップＳ１０５−Ｙｅｓ）、移動通信端末２とサービス提供サーバ１２とによる、アプリケーション２２１に係る各種処理を実行する（ステップＳ１０６）。例えば、アプリケーション２２１が言語翻訳アプリケーションである場合、各種処理として翻訳処理が実行される。アプリケーション２２１に係る各種処理は、移動通信端末２とサービス提供サーバ１２とが契約通信事業者の通信ネットワークを介して情報の交換を行うことによって実行されるものであればどのような処理でもよい。
【００９６】
移動通信端末２とサービス提供サーバ１２とによる、アプリケーション２２１に係る各種処理が終了すると、アプリケーション処理が終了する。
【００９７】
（通信要求送信処理）
図９は、通信制御部２５２によって実行される通信要求送信処理の動作フローの一例を示す図である。
【００９８】
まず、通信制御部２５２は、移動通信端末２が契約基地局（図示しない）の通信圏域内であるか否かを判定する（ステップＳ２０１）。例えば、通信制御部２５２は、基地局から送信された無線信号の受信強度を計測するとともに、基地局から周期的に送信されたＰＬＭＮを含む報知信号を受信する。移動通信端末２は、受信強度が所定値よりも高い無線信号を送信した基地局の報知情報に含まれるＰＬＭＮと移動通信端末２に格納されたＳＩＭカードに記憶されたＲＰＬＭＮ（Registered PLMN）とを参照し、基地局の通信事業者が、契約通信事業者であるか否かを判定する。そして、通信制御部２５２は、基地局の通信事業者が、契約通信事業者であると判定した場合、移動通信端末２が契約基地局の通信圏域内であると判定する。
【００９９】
通信制御部２５２は、移動通信端末２が契約基地局の通信圏域内であると判定した場合（ステップＳ２０１−Ｙｅｓ）、通信設定テーブル２２２から通常ＡＰＮを示す情報を読み出し、契約基地局に通常ＡＰＮを示す情報を含む通常通信要求を送信するよう端末通信部２１に指示し、端末通信部２１は通常通信要求を送信し（ステップＳ２０２）、通信要求送信処理を終了する。
【０１００】
通信制御部２５２は、移動通信端末２が契約基地局の通信圏域外であると判定した場合（ステップＳ２０１−Ｎｏ）、移動通信端末２が他基地局の通信圏域内であるか否かを判定する（ステップＳ２０３）。例えば、通信制御部２５２は、基地局から送信された無線信号の受信強度を計測するとともに、基地局から周期的に送信されたＰＬＭＮを含む報知信号を受信する。移動通信端末２は、受信強度が所定値よりも高い無線信号を送信した基地局の報知情報に含まれるＰＬＭＮと移動通信端末２に格納されたＳＩＭカードに記憶されたＯＰＬＭＮとを参照し、基地局の通信事業者が、他通信事業者であるか否かを判定する。そして、通信制御部２５２は、基地局の通信事業者が、他通信事業者であると判定した場合、移動通信端末２が他基地局の通信圏域内であると判定する。
【０１０１】
通信制御部２５２は、移動通信端末２が他基地局の通信圏域外であると判定した場合（ステップＳ２０３−Ｎｏ）、通信要求送信処理を終了する（通信要求を行わない）。
【０１０２】
通信制御部２５２は、移動通信端末２が他基地局の通信圏域内であると判定した場合（ステップＳ２０３−Ｙｅｓ）、ステップＳ１０２においてデータ通信指示が取得された時に実行中のアプリケーション２２１に特定ＡＰＮが関連付けられているか否かを判定する。（ステップＳ２０４）。例えば、通信制御部２５２は、ステップＳ１０２においてデータ通信指示が取得された時に実行中のアプリケーション２２１のアプリケーション識別情報を特定し、ＡＰＮ設定テーブル２２３を参照して、特定したアプリケーション識別情報に特定ＡＰＮが関連付けられているか否かを判定する。
【０１０３】
通信制御部２５２は、実行中のアプリケーション２２１に特定ＡＰＮが関連付けられていると判定した場合（ステップＳ２０４−Ｙｅｓ）、他基地局３に特定ＡＰＮを示す情報を含む特定通信要求を送信するよう端末通信部２１に指示し、端末通信部２１は通常通信要求を送信し（ステップＳ２０５）、通信要求送信処理を終了する。
【０１０４】
通信制御部２５２は、実行中のアプリケーション２２１に特定ＡＰＮが関連付けられていないと判定した場合（ステップＳ２０４−Ｎｏ）、端末通信部２１への指示を行わず、通信要求送信処理を終了する。
【０１０５】
このように、移動通信端末２のデータローミング通信が許可されていない場合であっても、移動通信端末２は、特定のアプリケーション２２１に限り、データローミング通信を自動的に実施することが可能になる。
【０１０６】
（変形例１）
なお、特定ＡＰＮに関連付けられたアプリケーションは、複数のアプリケーション（言語翻訳アプリケーション及びナビゲーションアプリケーション等）を管理する管理アプリケーションでもよい。管理アプリケーションが移動通信端末２のアプリケーション制御部２５１によって実行された場合、アプリケーション制御部２５１は、管理アプリケーションが管理する複数のアプリケーションを呼び出すことができる操作オブジェクト（操作ボタン等）を表示部２４に表示する。
【０１０７】
ユーザが操作部２３によって操作オブジェクトを操作すると、対応するアプリケーションを実行することができる。管理アプリケーションによって管理される複数のアプリケーションは、管理アプリケーションに関連付けられた特定ＡＰＮに対応するＰＧＷを経由してサービス提供サーバ１２の通信サービスを受けることが可能となる。
【０１０８】
このように、複数種類のアプリケーションを１つのアプリケーションが管理することにより、ＡＰＮ設定テーブル２２３等の記憶容量を低減させ、移動通信端末２の実行処理速度を向上させることが可能になる。
【０１０９】
当業者は、本発明の精神及び範囲から外れることなく、様々な変更、置換、及び修正をこれに加えることが可能であることを理解されたい。
【符号の説明】
【０１１０】
１    通信システム
２    移動通信端末
２１    端末通信部
２２    端末記憶部
２２１，２２１ａ，２２１ｂ    アプリケーション
２２２    通信設定テーブル
２２３    ＡＰＮ設定テーブル
２３    操作部
２４    表示部
２５    端末制御部
２５１    アプリケーション制御部
２５２    通信制御部
３    他基地局
４    ＭＭＥ
５    ＳＧＷ
６    ＰＣＲＦ
７    ＨＳＳ
８，８ａ，８ｂ    ＰＧＷ
９    課金管理装置
１０    ＰＣＲＦ
１１    ネットワーク（インターネット等）
１２    サービス提供サーバ
【図１】
2020202507.tif 000003
【図２】
2020202507.tif 000004
【図３】
2020202507.tif 000005
【図４】
2020202507.tif 000006
【図５】
2020202507.tif 000007
【図６】
2020202507.tif 000008
【図７】
2020202507.tif 000009
【図８】
2020202507.tif 000010
【図９】
2020202507.tif 000011